(57)【要約】  シールドフラットケーブル１は、平行に配列された１つまたは複数のグランド線Ｇ１と、グランド線Ｇ１に平行に配列された１つまたは複数の信号線Ｓ１，Ｓ２と、グランド線Ｇ１および信号線Ｓ１，Ｓ２を覆う絶縁層１１，１２と、絶縁層１１，１２の外周側に設けたシールド層２１，２２を有する。グランド線Ｇ１の断面において、絶縁層１１，１２は１つのグランド線Ｇ１の上面と下面をそれぞれ底部とする複数の開口部１３，１４を有し、開口部１３，１４において、グランド線Ｇ１がシールド層２１，２２と電気的に接続されており、信号線Ｓ１，Ｓ２がグランド線Ｇ１とシールド層２１，２２に囲まれている。
2019208247.tif 000002
【特許請求の範囲】
【請求項１】
平行に配列された１つまたは複数のグランド線と、
前記グランド線に平行に配列された１つまたは複数の信号線と、
前記グランド線および前記信号線を覆う絶縁層と、
前記絶縁層の外周側に設けたシールド層を有するシールドフラットケーブルであって、
前記グランド線の長手方向に垂直な断面において、前記絶縁層は１つの前記グランド線の上面と下面をそれぞれ底部とする複数の開口部を有し、前記開口部において、前記グランド線が前記シールド層と電気的に接続されており、前記信号線が前記グランド線と前記シールド層に囲まれているシールドフラットケーブル。
【請求項２】
前記グランド線の長手方向に垂直な断面において、前記グランド線と前記信号線との配列の１方の端に１つまたは複数の前記信号線が配列されており、前記端の信号線は、前記端の信号線に最も近い前記グランド線の上面と下面をそれぞれ底面とする前記開口部において電気的に接続された前記シールド層と前記端の信号線に最も近い前記グランド線とにより囲まれている、請求項１に記載のシールドフラットケーブル。
【請求項３】
前記グランド線の長手方向に垂直な断面において、前記信号線は、前記信号線を挟む２本の前記グランド線と前記信号線を挟む２本の前記グランド線の上面と下面をそれぞれ底面とする前記開口部において電気的に接続された前記シールド層とにより囲まれている、請求項１に記載のシールドフラットケーブル。
【請求項４】
前記信号線が、信号伝送用の１本の前記信号線あるいは隣接して並列された差動伝送用の１対の前記信号線からなる、請求項１から３のいずれか１に記載のシールドフラットケーブル。
【請求項５】
前記絶縁層と前記シールド層との間に、樹脂製中間層が介在されている、請求項１から４のいずれか１に記載のシールドフラットケーブル。
【請求項６】
前記開口部の幅が前記グランド線の配列方向の幅の２分の１以下である、請求項１から４のいずれか１に記載のシールドフラットケーブル。
【請求項７】
前記絶縁層のみで外周が覆われた電力線をさらに有する、請求項１から６のいずれか１に記載のシールドフラットケーブル。
【発明の詳細な説明】
【技術分野】
【０００１】
本開示は、シールドフラットケーブルに関する。
本出願は、２０１８年４月２３日に日本において出願された日本出願第２０１８-０８２５７６号に基づく優先権を主張し、前記日本出願に記載されたすべての記載内容を援用するものである。
【背景技術】
【０００２】
フレキシブルフラットケーブル（ＦＦＣ）は、ＣＤやＤＶＤプレーヤ等のＡＶ機器、コピー機やプリンタ等のＯＡ機器、その他電子・情報機器の内部配線等の多くの分野で、省スペース化と簡便な接続を目的として用いられている。また、機器の使用周波数が高くなるとノイズの影響が大きくなることから、シールドされたシールドフラットケーブルが用いられる。【０００３】
シールドフラットケーブルのシールドは、例えば、ＦＦＣの外側にシールド層を設けることにより行われる。このシールド層は、例えば、特許文献１に開示されているように、グランド線の片面に設けた開口部を通して、グランド線と電気的に接続され、グランド線を通して基板側のグランド電位に維持される。
【先行技術文献】
【特許文献】
【０００４】
【特許文献１】特開平６−２８３０５３号公報
【発明の概要】
【０００５】
本開示に係るシールドフラットケーブルは、平行に配列された１つまたは複数のグランド線と、前記グランド線に平行に配列された１つまたは複数の信号線と、前記グランド線および前記信号線を覆う絶縁層と、前記絶縁層の外周側に設けたシールド層を有するシールドフラットケーブルであって、前記グランド線の断面において、前記絶縁層は１つの前記グランド線の上面と下面をそれぞれ底部とする複数の開口部を有し、前記開口部において、前記グランド線が前記シールド層と電気的に接続されており、前記信号線が前記グランド線と前記シールド層に囲まれている。
【図面の簡単な説明】
【０００６】
【図１】本開示の第１の実施形態に係るシールドフラットケーブルの概略を示す長手方向に垂直な断面図である。
【図２Ａ】本開示の第１の実施形態に係るシールドフラットケーブルの製造過程の一例を説明するための長手方向に垂直な断面図である。
【図２Ｂ】本開示の第１の実施形態に係るシールドフラットケーブルの製造過程の一例を説明するための長手方向に垂直な断面図である。
【図３】本開示の第２の実施形態に係るシールドフラットケーブルの概略を示す長手方向に垂直な断面図である。
【図４】本開示の第３の実施形態に係るシールドフラットケーブルの概略を示す長手方向に垂直な断面図である。
【図５】本開示の第４の実施形態に係るシールドフラットケーブルの概略を示す長手方向に垂直な断面図である。
【図６】本開示の第５の実施形態に係るシールドフラットケーブルの概略を示す長手方向に垂直な断面図である。
【図７】本開示の第６の実施形態に係るシールドフラットケーブルの概略を示す長手方向に垂直な断面図である。
【図８】本開示と電気的に等価な参考例に係るシールドフラットケーブルの概略を示す長手方向に垂直な断面図である。
【発明を実施するための形態】
【０００７】
［本開示が解決しようとする課題］
シールド層で囲まれた各導体は、ケーブル外部からのノイズの影響が受けにくく、また、ケーブル外部に対してノイズを発生するなどの悪影響を及ぼさないために、高速信号伝送が可能である。しかし、シールド層で囲まれた各導体間にはクロストークが発生したり、また、電力線をともに併設した場合には、電力線に伝わるノイズの影響を受けることになる。
【０００８】
本開示は、これらの実情に鑑みてなされたものであり、所定の信号線を確実にシールドでき、外部ノイズやクロストークの影響を受けにくいシールドフラットケーブルを提供することをその目的とする。
【０００９】
［本開示の効果］
本開示によれば、所定の信号線をグランド線とシールド層で取り囲むことができるため、所定の信号線を確実にシールドでき、外部ノイズやクロストークの影響を受けにくいシールドフラットケーブルを提供することができる。
【００１０】
［本開示の実施形態の説明］
最初に本開示の実施態様を列記して説明する。
（１）本開示の一態様に係るシールドフラットケーブルは、平行に配列された１つまたは複数のグランド線と、前記グランド線に平行に配列された１つまたは複数の信号線と、前記グランド線および前記信号線を覆う絶縁層と、前記絶縁層の外周側に設けたシールド層を有するシールドフラットケーブルであって、前記グランド線の長手方向に垂直な断面において、前記絶縁層は１つの前記グランド線の上面と下面をそれぞれ底部とする複数の開口部を有し、前記開口部において、前記グランド線が前記シールド層と電気的に接続されており、前記信号線が前記グランド線と前記シールド層に囲まれている。
【００１１】
この構成により、所定の信号線をグランド線とシールド層で取り囲むことができるため、所定の信号線を確実にシールドでき、外部ノイズやクロストークの影響を受けにくくできる。
【００１２】
（２）前記グランド線の長手方向に垂直な断面において、前記グランド線と前記信号線との配列の１方の端に１つまたは複数の前記信号線が配列されており、前記端の信号線は、前記端の信号線に最も近い前記グランド線の上面と下面をそれぞれ底面とする前記開口部において電気的に接続された前記シールド層と前記端の信号線に最も近い前記グランド線とにより囲まれていてもよい。
この構成により、シールドフラットケーブルの配列方向の端部に配列された信号線を、グランド線とシールド層で取り囲むことができるため、端部の信号線を確実にシールドでき、外部ノイズやクロストークの影響を受けにくくできる。
【００１３】
（３）前記グランド線の長手方向に垂直な断面において、前記信号線は、前記信号線を挟む２本の前記グランド線と前記信号線を挟む２本の前記グランド線の上面と下面をそれぞれ底面とする前記開口部において電気的に接続された前記シールド層とにより囲まれていてもよい。
この構成により、シールドフラットケーブルの端部あるいは中央部に配列した信号線を、この信号線の配列方向の両側に設けたグランド線とシールド層によって取り囲むことができるため、端部あるいは中央部に配列した信号線を確実にシールドでき、外部ノイズやクロストークの影響を受けにくくできる。
【００１４】
（４）前記信号線が、信号伝送用の１本の前記信号線あるいは隣接して並列された差動伝送用の１対の前記信号線からなることが望ましい。
この構成により、各１本の信号線あるいは差動伝送用の１対の信号線ごとに、これらの信号線をグランド線とシールド層で取り囲むことができるため、これらの信号線を確実にシールドでき、外部ノイズやクロストークの影響を受けにくくできる。
【００１５】
（５）前記絶縁層と前記シールド層との間に、インピーダンス調整用の樹脂製中間層が介在されていてもよい。
この構成により、シールドフラットケーブルの特性インピーダンスが所定の値に設定しやすくなる。
【００１６】
（６）前記開口部の幅が前記グランド線の配列方向の幅の２分の１以下であることが望ましい。
この構成により、厳しい使用環境においても、グランド線の箇所で絶縁層と剥がれることがなく、グランド線の接着強度を確保できる。
【００１７】
（７）前記絶縁層のみで外周が覆われた電力線をさらに有していてもよい。
この構成により、信号線による信号伝送と電力伝送を１つのシールドフラットケーブルで行うことができるとともに、電力線に伝わるノイズが信号線に影響しにくくなる。
【００１８】
［本開示の実施形態の詳細］
以下、図面を参照しながら、本開示のシールドフラットケーブルに係る好適な実施形態について説明する。以下の説明において、異なる図面においても同じ符号を付した構成は同様のものであるとして、その説明を省略する場合がある。なお、本発明はこれらの実施形態での例示に限定されるものではなく、特許請求の範囲に記載された事項の範囲内および均等の範囲内におけるすべての変更を含む。また、複数の実施形態について組み合わせが可能である限り、本発明は任意の実施形態を組み合わせたものを含む。
【００１９】
（第１の実施形態）
図１は、本開示の第１の実施形態に係るシールドフラットケーブルの概略を示す長手方向に垂直な断面図であり、図２Ａおよび図２Ｂは、本開示の第１の実施形態に係るシールドフラットケーブルの製造過程の一例を説明するための長手方向に垂直な断面図である。
【００２０】
本実施形態に係るシールドフラットケーブル１は、互いに平行に配列された、１対の信号線Ｓ１，Ｓ２、グランド線Ｇ１、電力線Ｐ１，Ｐ２を含む複数の導体と、これらの導体を覆う第１の絶縁層１１および第２の絶縁層１２と、第１の絶縁層１１，第２の絶縁層１２の一部の外周面をそれぞれ被覆する第１のシールド層２１、第２のシールド層２２とを備えている。信号線Ｓ１，Ｓ２は、シールドフラットケーブル１の導体の配列方向の一方の端部に位置している。
【００２１】
グランド線Ｇ１の両面には、第１、第２の絶縁層１１，１２に設けた開口部１３，１４によって露出面が形成されている。この開口部１３，１４は、グランド線Ｇ１の上面と下面をそれぞれ底面とし、グランド線Ｇ１の長手方向全長にわたって設けられており、開口部１３の箇所で、グランド線Ｇ１と第１のシールド層２１とが、開口部１４の箇所で、グランド線Ｇ１と第２のシールド層２２とが電気的に接続されている。また、第１、第２のシールド層２１，２２は、シールドフラットケーブル１の幅方向側面からはみ出た端部Ａで電気的に接続されている。これにより、１対の信号線Ｓ１，Ｓ２は、第１のシールド層２１、グランド線Ｇ１、第２のシールド層２２、および、端部Ａによって、取り囲まれている。なお、シールドフラットケーブル１は、長手方向の両端部に端子部を有しているが、この両端部の端子部を除いて、シールドフラットケーブル１の全体を覆う保護樹脂層（図示省略）を設けておいてもよい。
【００２２】
信号線Ｓ１，Ｓ２は、例えば、銅箔、錫メッキ軟銅箔等の導電性金属からなり、例えば、厚さが１０μｍ〜１００μｍで、幅が０.２〜０.８ｍｍ程度の平形導体である。また、信号線Ｓ１，Ｓ２のピッチは、０.５〜１.０ｍｍで配列される。信号線Ｓ１，Ｓ２の導体サイズやピッチは、伝送ロス、差動ペアの特性インピーダンスの要求値によって決定される。この信号線Ｓ１，Ｓ２の配列状態は、第１、第２の絶縁層１１，１２により挟まれて保持される。本実施形態では、信号線は差動伝送用として１対の信号線Ｓ１，Ｓ２を用いた場合を示しているが、差動伝送を行わない場合は１本の信号線であってもよい。
【００２３】
グランド線Ｇ１は、シールドフラットケーブル１が機器を構成する基板に接続されると同時に、基板のグランド層に電気的に接続され、接地される導体である。グランド線Ｇ１は信号線Ｓ１，Ｓ２と同様の平形導体の構成とすることができるが、その幅が信号線Ｓ１，Ｓ２よりも広い、例えば１〜５ｍｍ程度とすることが望ましい。
【００２４】
電力線Ｐ１，Ｐ２は、シールドフラットケーブル１が接続される電子・電気機器や電子部品に対して電力の供給を行うための導体である。電力線Ｐ１，Ｐ２についても、信号線Ｓ１，Ｓ２と同様の平形導体の構成とすることができるが、流す電流の大きさによって、その断面積を信号線Ｓ１，Ｓ２やグランド線Ｇ１よりも広く構成される。なお、電力線Ｐ１，Ｐ２を必要としない場合は、設けなくてもよい。
【００２５】
第１、第２の絶縁層１１，１２は、その内面（接合面）に接着層（図示省略）を有する樹脂フィルムを貼り合わせることによって構成される。第１、第２の絶縁層１１，１２自体は、柔軟性に優れた一般的な樹脂フィルムが使用され、例えば、ポリエステル樹脂、ポリフェニレンサルファイド樹脂、ポリイミド樹脂等の汎用性のある樹脂フィルムを用いることができる。この樹脂フィルムの厚さとしては、９μｍ〜４００μｍのものが用いられる。ポリエステル樹脂としては、ポリエチレンテレフタレート樹脂、ポリエチレンナフタレート樹脂、ポリブチレンナフタレート樹脂等の樹脂材料が挙げられる。
【００２６】
第１、第２の絶縁層１１．１２の接着層としては、樹脂材料からなるものが使用され、例えば、ポリエステル系樹脂やポリオレフィン系樹脂に難燃剤を添加した接着剤などが挙げられる。この接着層は、１０μｍ〜１００μｍの厚みで形成される。第１、第２の絶縁層１１，１２は、２枚の樹脂フィルムを、１対の信号線Ｓ１，Ｓ２、グランド線Ｇ１、電力線Ｐ１，Ｐ２を挟んで接着層を向き合わせ、加熱ローラで熱を加えながら接合することにより貼り合わされ一体化される。
【００２７】
第１のシールド層２１と第２のシールド層２２は、それぞれの厚みが１０〜２００μｍ程度で、金属層と導電性接着層（図示省略）の２層構造からなるフィルムを用いて形成される。第１、第２のシールド層２１，２２の金属層としては、例えば金属箔、あるいは、絶縁フィルム上に形成した金属蒸着膜等を用いることができる。第１、第２のシールド層２１，２２の金属材料としては、比較的安価で導電性に優れる銅またはアルミニウムが好適である。また、第１、第２のシールド層２１，２２の厚さは、薄くしすぎるとシールド層の電気抵抗が大きくなるため、シールド効果は低下する。反対に、第１、第２のシールド層２１，２２の厚さを厚くすると、シールド効果は得られるものの、グランド線Ｇ１との電気接続やシールドフラットケーブル１の可撓性が損なわれるおそれがある。
【００２８】
第１、第２のシールド層２１，２２は、その導電性接着層を内側にして第１、第２の絶縁層１１，１２と開口部１３，１４でグランド線Ｇ１とに貼付される。また、第１、第２のシールド層２１，２２は、シールドフラットケーブルの端部で互いに導電性接着層で接着されるため、１対の信号線Ｓ１，Ｓ２は、第１のシールド層２１、グランド線Ｇ１、第２のシールド層２２、および、端部Ａによって取り囲まれてシールドされる。また、その電位は、シールドフラットケーブル１が機器を構成する基板に接続されると同時に、基板のグランド層に電気的に接続され、接地される。このように、本実施形態では、グランド線Ｇ１は、信号線Ｓ１，Ｓ２の配列方向の側方からのノイズを遮断するシールドとして機能しているため、ノイズ低減効果を向上することができる。
【００２９】
次に、本実施形態のシールドフラットケーブルの製造方法の一例について説明する。図２Ａおよび図２Ｂは、本開示の第１の実施形態に係るシールドフラットケーブルの製造過程の一例を説明するための図である。
図２Ａに示すように、信号線Ｓ１，Ｓ２、グランド線Ｇ１、電力線Ｐ１，Ｐ２となる各平形導体を所定の間隔を保った状態で平行に並べ、その上下を、内側に接着層を設けた絶縁フィルムの間に挟み込み、加熱ローラで熱を加えながら接合することにより、各導体の両面が第１、第２の絶縁層１１，１２によって一体化された長尺のフラットケーブルを作製する。
【００３０】
次に、図２Ｂに示すように、グランド線Ｇ１の両面の第１、第２の絶縁層１１，１２を所定の幅Ｗ２だけ長手方向全長にわたって除去し、開口部１３，１４を形成する。除去の方法としては、レーザ加工による方法、溶剤によって溶解させる方法、あるいは、機械的に除去する方法などを用いることができる。ここで、開口部１３，１４の幅Ｗ２は、グランド線Ｇ１の幅Ｗ１の２分の１以下にしておくことが望ましい。これは、１対の信号線Ｓ１，Ｓ２、グランド線Ｇ１、電力線Ｐ１，Ｐ２は、２枚の樹脂フィルムを貼り合わせて得られる第１、第２の絶縁層１１，１２によって保持されているため、開口部１３，１４を設けた場合でも、グランド線Ｇ１と第１、第２の絶縁層１１，１２の接着強度を確保するためである。また、開口部１３，１４の幅Ｗ２は、グランド線Ｇ１と第１、第２のシールド層２１，２２との電気的接続を確保するために、グランド線Ｇ１の幅Ｗ１の３分の１以上としておくことが望ましい。開口部１３，１４の幅Ｗ２は、例えば、０．３ｍｍ〜２．５ｍｍである。開口部１３，１４の幅Ｗ２は、グランド線Ｇ１の長手方向に垂直な断面において、グランド線Ｇ１の上面または下面を開口部１３，１４底面としたときのその底面の幅である。なお、開口部１３，１４の幅は、同じ大きさでなくてもよい。
【００３１】
次に、図１に示すように、信号線Ｓ１，Ｓ２およびグランド線Ｇ１の配列箇所よりも幅の広い第１、第２のシールド層２１，２２を、信号線Ｓ１，Ｓ２およびグランド線Ｇ１を覆うように形成する。なお、電力線Ｐ１，Ｐ２の配列箇所には、第１、第２のシールド層２１，２２を設けていない。第１、第２のシールド層２１，２２は、例えば、金属層に導電性接着層を設けた２層構造の金属箔テープを、その導電性接着層を内側にして、図２Ｂに示すフラットケーブルの両面から加熱ローラで熱を加えながら接合することによって形成できる。この加熱接合工程によって、第１、第２のシールド層２１，２２は、グランド線Ｇ１に電気的に接続されるとともに、フラットケーブルの幅方向側面からはみ出た端部Ａで、直接電気的に接続される。
【００３２】
以上の工程で得られたシールドフラットケーブル１には、必要に応じて、端子部を除いて全体を覆う保護樹脂層が設けられる。保護樹脂層は、シールドフラットケーブル１を挟む２枚の樹脂フィルムを加熱接合することによって、形成することができる。
【００３３】
（第２の実施形態）
図３は、本開示の第２の実施形態に係るシールドフラットケーブルの概略を示す長手方向に垂直な断面図である。
第１の実施形態では、例えば金属層に導電性接着層を設けた２層構造の金属箔テープを表裏から２枚、フラットケーブルに貼り付けることによって第１、第２のシールド層２１，２２を形成しているが、本実施形態のシールドフラットケーブル２では、１つのシールド層２３によって、信号線Ｓ１，Ｓ２およびグランド線Ｇ１を覆うようにしている。
【００３４】
このため、本実施形態では、１枚の金属箔テープをその導電性接着層が内面になるようにＣ字状に折り曲げ、このＣ字状の金属箔テープの開口側から、フラットケーブルをその側面がＣ字状の金属箔テープの奥に達するまで挿入し、この状態で、導体の両面から加熱ローラで熱を加えながら、金属箔テープを第１、第２の絶縁層１１，１２とグランド線Ｇ１とに接合することによってシールド層２３を形成している。
本実施形態は、第１の実施形態のように、第１、第２のシールド層２１，２２を、フラットケーブルの幅方向側面からはみ出た端部Ａで、直接電気的に接続する必要がなく、シールドフラットケーブル２の両面に設けたシールド層を、確実に電気的接続することができる。その他の構成については、第１の実施形態と同様であるので、その説明を省略する。
【００３５】
（第３の実施形態）
図４は、本開示の第３の実施形態に係るシールドフラットケーブルの概略を示す長手方向に垂直な断面図である。
シールドフラットケーブル３は、その特性インピーダンスが所定の値（例えば９０Ωや１００Ω）となるように、例えば、信号線Ｓ１，Ｓ２の厚さや幅、間隔、第１、第２の絶縁層１１，１２の誘電率を調整することが行われる。本実施形態では、さらに、信号線Ｓ１，Ｓ２が位置する個所で、第１、第２の絶縁層１１，１２と第１、第２のシールド層２１，２２とのそれぞれの間に、インピーダンス調整用の樹脂製中間層３１，３２を介在させ、特性インピーダンスの調整を容易にしている。樹脂製中間層３１，３２を介在させる方法としては、樹脂製中間層３１，３２の一方の面に接着層を設けておき、この接着層を第１、第２の絶縁層１１，１２に向けた状態で、第１、第２の絶縁層１１，１２に貼り付ければよい。なお、本実施形態では、第１、第２のシールド層２１，２２は、樹脂製中間層３１，３２の表面を覆うように設けられる。
【００３６】
（第４の実施形態）
図５は、本開示の第４の実施形態に係るシールドフラットケーブルの概略を示す長手方向に垂直な断面図である。
本実施形態のシールドフラットケーブル４では、１本のグランド線Ｇ０，差動伝送用の１対の信号線Ｓ１，Ｓ２、１本のグランド線Ｇ１、２本の電力線Ｐ１，Ｐ２を含む、互いに平行に配列された複数の導体を有している。シールドフラットケーブル４は、これらの複数の導体を覆う第１の絶縁層１１および第２の絶縁層１２と、第１、第２の絶縁層１１，１２の一部の外周面をそれぞれ被覆する第１のシールド層２１、第２のシールド層２２とを備える。さらに、第３の実施形態と同様に、信号線Ｓ１，Ｓ２が位置する個所で、第１、第２の絶縁層１１，１２と第１、第２のシールド層２１，２２とのそれぞれの間に、インピーダンス調整用の樹脂製中間層３１，３２を介在させ、特性インピーダンスの調整を容易にしている。
【００３７】
本実施形態は、第３の実施形態において、１対の信号線Ｓ１，Ｓ２の配列方向のグランド線Ｇ１の反対側（端部Ａ側）に、グランド線Ｇ０を配設し、このグランド線Ｇ０の両面を覆う第１、第２の絶縁層１１，１２の長手方向に開口部１５，１６を形成し、それぞれの開口部１５，１６で、第１、第２のシールド層２１，２２とグランド線Ｇ０を電気的に接続したものである。これによって、シールドフラットケーブル４の１対の信号線Ｓ１，Ｓ２は、グランド線Ｇ０，第１のシールド層２１、グランド線Ｇ１、第２のシールド層２２によって取り囲まれてシールドされる。そして、１対の信号線Ｓ１，Ｓ２の配列方向の両側に、それぞれ対称的にグランド線Ｇ０，Ｇ１を配列しているため、良好な伝送特性を得ることができる。なお、本実施形態では、フラットケーブルの幅方向側面からはみ出た端部Ａで第１、第２のシールド層２１，２２を直接接触させなくてもよい。
【００３８】
（第５の実施形態）
図６は、本開示の第５の実施形態に係るシールドフラットケーブルの概略を示す長手方向に垂直な断面図である。
本実施形態のシールドフラットケーブル５では、差動伝送用の１対の信号線Ｓ１，Ｓ２，１本のグランド線Ｇ１、差動伝送用の１対の信号線Ｓ３，Ｓ４、１本のグランド線Ｇ２，２本の電力線Ｐ１，Ｐ２を含む、互いに平行に配列された複数の導体を有している。信号線をＳ，グランド線をＧとした場合、本実施形態は、端部Ａ側から、ＳＳＧＳＳＧの配列で、信号線Ｓとグランド線Ｇが配列されている。シールドフラットケーブル５は、これらの複数の導体の両面に、それぞれ配設された第１の絶縁層１１，第２の絶縁層１２と、第１、第２の絶縁層１１，１２の一部の外周面をそれぞれ被覆する第１のシールド層２１、第２のシールド層２２とを備える。
【００３９】
本実施形態では、信号線Ｓ１，Ｓ２とグランド線Ｇ１の配列は、第１の実施形態と同じであるが、グランド線Ｇ１と電力線Ｐ１との間に、信号線Ｓ３，Ｓ４とグランド線Ｇ２が配列されており、信号線Ｓ３，Ｓ４については、それらの配列方向の両側に、グランド線Ｇ１とグランド線Ｇ２とが配置される構成となっている。
【００４０】
グランド線Ｇ１の両面には、第１、第２の絶縁層１１，１２に設けた開口部１３，１４によって露出面が形成されており、また、同様に、グランド線Ｇ２の両面には、第１、第２の絶縁層１１，１２に長手方向全長にわたって設けた開口部１７，１８によって露出面が形成されている。そして、開口部１３，１４の箇所で、グランド線Ｇ１と第１、第２のシールド層２１、２２とが電気的に接続されており、開口部１７，１８の箇所で、グランド線Ｇ２と第１、第２のシールド層２１、２２とが電気的に接続されている。
【００４１】
これにより、シールドフラットケーブル５の端部に位置する１対の信号線Ｓ１，Ｓ２は、第１の実施形態と同様に、第１のシールド層２１、グランド線Ｇ１、第２のシールド層２２、および、端部Ａによって取り囲まれてシールドされる。また、中央に位置する１対の信号線Ｓ３，Ｓ４は、グランド線Ｇ１，第１のシールド層２１、グランド線Ｇ２、第２のシールド層２２によって取り囲まれてシールドされる。なお、電力線Ｐ１，Ｐ２の配列箇所には、第１、第２のシールド層２１，２２を設けていないため、電力線Ｐ１，Ｐ２自体はシールドされることはない。
【００４２】
このように、本実施形態は、信号線の配列面の両側に配列された２本のグランド線Ｇ１，Ｇ２と、２本のグランド線Ｇ１，Ｇ２の両面に設けた開口部１３、１４、および、１７、１８でそれぞれグランド線Ｇ１，Ｇ２に電気的に接続された第１、第２のシールド層２１，２２が、信号線Ｓ３，Ｓ４の周囲を囲んでいる。このため、２本のグランド線Ｇ１，Ｇ２が信号線Ｓ３，Ｓ４の配列方向の側方からのノイズを遮断するシールドとして機能しているため、ノイズ低減効果を向上することができる。
【００４３】
（第６の実施形態）
図７は、本開示の第６の実施形態に係るシールドフラットケーブルの概略を示す長手方向に垂直な断面図である。
本実施形態のシールドフラットケーブル６は、１本のグランド線Ｇ０、１対の信号線Ｓ１，Ｓ２、１本のグランド線Ｇ１、差動伝送用の１対の信号線Ｓ３，Ｓ４、１本のグランド線Ｇ２，２本の電力線Ｐ１，Ｐ２を含む、互いに平行に配列された複数の導体を有している。本実施形態は、端部Ａ側から、ＧＳＳＧＳＳＧの配列で、信号線Ｓとグランド線Ｇが配列されている。
【００４４】
シールドフラットケーブル６は、これらの複数の導体の両面に、それぞれ配設された第１の絶縁層１１，第２の絶縁層１２と、第１、第２の絶縁層１１，１２の一部の外周面をそれぞれ被覆する第１のシールド層２１、第２のシールド層２２とを備える。さらに、第３、第４の実施形態と同様に、信号線Ｓ１，Ｓ２が位置する個所、および、信号線Ｓ３，Ｓ４が位置する個所で、第１、第２の絶縁層１１，１２と第１、第２のシールド層２１，２２とのそれぞれの間に、インピーダンス調整用の樹脂製中間層３１，３２を介在させ、特性インピーダンスの調整を容易にしている。
【００４５】
本実施形態は、第５の実施形態において、インピーダンス調整用の樹脂製中間層３１，３２を介在させた他、１対の信号線Ｓ１，Ｓ２の配列方向のグランド線Ｇ１の反対側（端部Ａ側）に、グランド線Ｇ０を配設し、このグランド線Ｇ０の両面を覆う第１、第２の絶縁層１１，１２の長手方向に開口部１５，１６を形成し、それぞれの開口部１５，１６で、第１、第２のシールド層２１，２２とグランド線Ｇ０を電気的に接続したものである。
【００４６】
これによって、シールドフラットケーブル６の１対の信号線Ｓ１，Ｓ２は、グランド線Ｇ０，第１のシールド層２１、グランド線Ｇ１、第２のシールド層２２によって取り囲まれてシールドされる。同様に、１対の信号線Ｓ３，Ｓ４は、グランド線Ｇ１，第１のシールド層２１、グランド線Ｇ２、第２のシールド層２２によって取り囲まれてシールドされる。このように、１対の信号線Ｓ１，Ｓ２、および、１対の信号線Ｓ３，Ｓ４の配列方向の両側に、それぞれ対称的にグランド線Ｇ０，Ｇ１、および、グランド線Ｇ１，Ｇ２を配列しているため、良好な伝送特性を得ることができる。なお、本実施形態では、フラットケーブルの幅方向側面からはみ出た端部Ａで第１、第２のシールド層２１，２２を直接接触させなくてもよい。
【００４７】
第５、第６の実施形態では、複数（２つ）の信号をそれぞれ差動伝送する場合の構成について説明したが、差動伝送を行わない場合は、２本の信号線の代わりにそれぞれ１本ずつの信号線を用いてもよい。そして、３つ以上の信号を伝送する場合は、伝送する信号の単位ごとの信号線（差動伝送の場合は２本）に対して、伝送する信号の単位ごとの信号線の並列方向の両側にそれぞれグランド線を配設し、このグランド線の箇所に設けた開口部を通してシールド層と電気的接続するようにすればよい。
【００４８】
以上、本開示の実施形態について説明したが、本開示のシールドフラットケーブルにおける信号線の数やグランド線の数は、上記の実施形態の数に限られない。また、信号線Ｓとグランド線Ｇの配列は、ＳＳＧＳＳＧ・・・であってもよく、ＧＳＳＧＳＳＧ・・・であってもよい。また、電力線の配設は任意に決めることができる。さらに、必要に応じて、電力線についても、信号線と同様にグランド線とシールド層によって取り囲みシールドしてもよい。
【００４９】
（参考例）
図８は、本開示と電気的に等価な参考例に係るシールドフラットケーブルの概略を示す長手方向に垂直な断面図である。
本参考例のシールドフラットケーブル７は、１本のグランド線Ｇ０，差動伝送用の１対の信号線Ｓ１，Ｓ２、１本のグランド線Ｇ１、２本の電力線Ｐ１，Ｐ２を含む、互いに平行に配列された複数の導体を有している。本参考例では、信号線Ｓとグランド線Ｇの配列は、ＧＳＳＧとなっており、１対の信号線Ｓ１，Ｓ２の配列方向の両側にグランド線Ｇ０とＧ１が配列されている。これらの配列については、図５に示す第４の実施形態と同じである。
【００５０】
シールドフラットケーブル７は、これらの複数の導体の両面に、それぞれ配設された第１の絶縁層１１，第２の絶縁層１２と、第１、第２の絶縁層１１，１２の一部の外周面をそれぞれ被覆する第１のシールド層２１、第２のシールド層２２とを備える。さらに、第３の実施形態と同様に、信号線Ｓ１，Ｓ２が位置する個所で、第１、第２の絶縁層１１，１２と第１、第２のシールド層２１，２２とのそれぞれの間に、インピーダンス調整用の樹脂製中間層３１，３２を介在させ、特性インピーダンスの調整を容易にしている。本参考例における各構成部材、すなわち、グランド線Ｇ０、Ｇ１、差動伝送用の１対の信号線Ｓ１，Ｓ２、２本の電力線Ｐ１，Ｐ２、第１、第２の絶縁層１１、１２、第１、第２のシールド層２１，２２、および、樹脂製中間層３１，３２の構成については、第１〜第６の実施形態における各構成部材と同じであるので、その説明を省略する。
【００５１】
本参考例では、グランド線Ｇ０の第１の絶縁層１１側に、長手方向全長にわたって開口部１５が設けられ、この開口部１５によって形成された露出面でグランド線Ｇ０と第１のシールド層２１とが電気的に接続されている。また、グランド線Ｇ１の第２の絶縁層１２側には、長手方向全長にわたって開口部１４が設けられ、この開口部１４によって形成された露出面でグランド線Ｇ１と第２のシールド層２２とが電気的に接続されている。さらに、第１、第２のシールド層２１，２２は、シールドフラットケーブル１の幅方向側面からはみ出た端部Ａで電気的に接続されている。これによって、グランド線Ｇ０とグランド線Ｇ１とは、電気的に接続されている。
【００５２】
第１のシールド層２１は、信号線Ｓ１，Ｓ２を超えてグランド線Ｇ１の電力線Ｐ１の近くまで延びている。このため、信号線Ｓ１，Ｓ２はグランド線Ｇ０，第１のシールド層２１、グランド線Ｇ１、第２のシールド層２２によって、概ね取り囲まれた状態でシールドされる。グランド線Ｇ１は、信号線Ｓ１，Ｓ２の配列方向の側方からのノイズを遮断するシールドとして機能しており、この状態は、電気的には、図５に示すシールドフラットケーブル４とほぼ等価となる。
【００５３】
本参考例では、グランド線Ｇ０、Ｇ１に設ける開口部が実施形態１〜６のように両面ではなく、片面のみで済むため、厳しい使用環境においても、グランド線の箇所で絶縁層と剥がれることがなく、グランド線Ｇ０、Ｇ１と第１、第２の絶縁層１１，１２との接着強度を確保できる。なお、本参考例において、フラットケーブルの幅方向側面からはみ出た端部Ａで第１、第２のシールド層２１，２２を必ずしも直接接触させる必要はない。また、信号線Ｓとグランド線Ｇの配列は、ＧＳＳＧＳＳＧ・・・であれば、その数は限定されない。さらに、電力線の配設は任意に決めることができる。
【符号の説明】
【００５４】
１〜４…シールドフラットケーブル、１１…第１の絶縁層、１２…第２の絶縁層、１３〜１８…開口部、２１…第２のシールド層、２２…第２のシールド層、２３…シールド層、Ｇ０、Ｇ１、Ｇ２…グランド線、Ｐ１、Ｐ２…電力線、Ｓ１〜Ｓ４…信号線。
【図１】
2019208247.tif 000003
【図２Ａ】
2019208247.tif 000004
【図２Ｂ】
2019208247.tif 000005
【図３】
2019208247.tif 000006
【図４】
2019208247.tif 000007
【図５】
2019208247.tif 000008
【図６】
2019208247.tif 000009
【図７】
2019208247.tif 000010
【図８】
2019208247.tif 000011
【国際調査報告】
2019208247.tif 000012
2019208247.tif 000013
2019208247.tif 000014
2019208247.tif 000015